(57)【要約】【課題】アナログＴＶとの組み合わせによりデジタル放送視聴システムを構成し、当該デジタル放送視聴システムにおけるデジタル放送視聴中のアナログＴＶ用リモコン送信機のリモコン操作により不用意にアナログ放送視聴に切り替わらないセットトップボックスを提供する。【解決手段】アナログＴＶ１との組み合わせによりデジタル放送視聴システムを構成するセットトップボックスであって、デジタル放送を受信するためのデジタルチューナユニット５と、デジタルチューナユニット５の出力信号に基づく信号を外部出力するための出力端子８及び９と、アナログＴＶ１の受光部１ＰがアナログＴＶ用リモコン送信機２０からの送信信号を直接受信することがないようにアナログＴＶ１の受光部１Ｐを覆い隠すための遮蔽部３とを備えるセットトップボックス。【選択図】図１
2008311771.tif 000002
【特許請求の範囲】
【請求項１】
アナログＴＶとの組み合わせによりデジタル放送視聴システムを構成するセットトップボックスであって、
デジタル放送を受信するためのデジタルチューナユニットと、
前記デジタルチューナユニットの出力信号に基づく信号を外部出力するための出力端子と、
前記アナログＴＶの受光部がアナログＴＶ用リモコン送信機からの送信信号を直接受信することがないように前記アナログＴＶの受光部を覆い隠すための遮蔽部とを備えることを特徴とするセットトップボックス。
【請求項２】
前記アナログＴＶ用リモコン送信機からの送信信号を受信するリモコン受光部を備える請求項１に記載のセットトップボックス。
【請求項３】
前記リモコン受光部の出力信号を復調してリモコンコードデータを得る復調部と、
前記復調部によって得られたリモコンコードデータに基づいて、前記アナログＴＶ用リモコン送信機からの送信信号が前記アナログＴＶ用リモコン送信機の所定の操作キーが押圧されたときのものであるか否かを判別する判別部と、
前記判別部により、前記アナログＴＶ用リモコン送信機からの送信信号が前記アナログＴＶ用リモコン送信機の所定の操作キーが押圧されたときのものであると判別された場合、前記アナログＴＶ用リモコン送信機からの送信信号を復元して前記アナログＴＶの受光部が直接受信可能なように転送する転送部とを備える請求項２に記載のセットトップボックス。
【請求項４】
前記所定の操作キーには入力切替キー及びチャンネル切替キーが含まれていない請求項３に記載のセットトップボックス。
【請求項５】
前記リモコン受光部の出力信号を復調してリモコンコードデータを得る復調部と、
前記復調部によって得られたリモコンコードデータに基づいて、前記アナログＴＶ用リモコン送信機からの送信信号が前記アナログＴＶ用リモコン送信機のチャンネル切替キーが押圧されたときのものであるか否かを判定する判定部と、
前記判定部により、前記アナログＴＶ用リモコン送信機からの送信信号が前記アナログＴＶ用リモコン送信機のチャンネル切替キーが押圧されたときのものであると判定された場合、前記復調部によって得られたリモコンコードデータをセットトップボックス用チャンネル切替リモコンコードデータに変換し、前記セットトップボックス用チャンネル切替リモコンコードデータに応じて前記デジタルチューナユニットを制御するリモコンコード変換・制御部とを備える請求項２〜４のいずれかに記載のセットトップボックス。
【請求項６】
請求項１〜５のいずれかに記載のセットトップボックスと、前記セットトップボックスの出力端子から出力される信号を外部入力するアナログＴＶとを備えることを特徴とするデジタル放送視聴システム。
【請求項７】
アナログＴＶと、デジタル放送を受信するためのデジタルチューナユニットを有するセットトップボックスとの組み合わせにより構成されるデジタル放送視聴システムの制御方法であって、前記アナログＴＶの受光部がアナログＴＶ用リモコン送信機からの送信信号を直接受信しないようにすることを特徴とするデジタル放送視聴システムの制御方法。
【請求項８】
前記セットトップボックスが、
前記アナログＴＶ用リモコン送信機からの送信信号を受信し、
その受信した信号を復調してリモコンコードデータを得、
その得られたリモコンコードデータに基づいて、前記アナログＴＶ用リモコン送信機からの送信信号が前記アナログＴＶ用リモコン送信機の所定の操作キーが押圧されたときのものであるか否かを判別し、
前記アナログＴＶ用リモコン送信機からの送信信号が前記アナログＴＶ用リモコン送信機の所定の操作キーが押圧されたときのものであると判別した場合、前記アナログＴＶ用リモコン送信機からの送信信号を復元して前記アナログＴＶの受光部が直接受信可能なように転送する請求項７に記載のデジタル放送視聴システムの制御方法。
【請求項９】
前記所定の操作キーには入力切替キー及びチャンネル切替キーが含まれていない請求項８に記載のデジタル放送視聴システムの制御方法。
【請求項１０】
前記セットトップボックスが、
前記アナログＴＶ用リモコン送信機からの送信信号を受信し、
その受信した信号を復調してリモコンコードデータを得、
その得られたリモコンコードデータに基づいて、前記アナログＴＶ用リモコン送信機からの送信信号が前記アナログＴＶ用リモコン送信機のチャンネル切替キーが押圧されたときのものであるか否かを判定し、
前記アナログＴＶ用リモコン送信機からの送信信号が前記アナログＴＶ用リモコン送信機のチャンネル切替キーが押圧されたときのものであると判定した場合、前記リモコンコードデータをセットトップボックス用チャンネル切替リモコンコードデータに変換し、前記セットトップボックス用チャンネル切替リモコンコードデータに応じて前記デジタルチューナユニットを制御する請求項７〜９のいずれかに記載のデジタル放送視聴システムの制御方法。
【発明の詳細な説明】
【技術分野】
【０００１】
本発明は、セットトップボックス（ＳＴＢ：Set Top Box）に関し、特にデジタルチューナユニットを有するセットトップボックスに関する。また、本発明は、当該セットトップボックスとアナログＴＶとを備えるデジタル放送視聴システム及び当該デジタル放送視聴システムの制御方法に関する。
【背景技術】
【０００２】
地上波デジタル放送等のデジタル放送を視聴する方法は、従来からのアナログＴＶ（デジタル放送受信チューナを内蔵しておらずアナログ放送受信チューナを内蔵しているテレビ）をデジタルＴＶ（デジタル放送受信チューナを内蔵しているテレビ）に買い替える方法と、従来からのアナログＴＶをデジタルＴＶに買い替えることなく、デジタル放送を受信するためのデジタルチューナユニットを有するセットトップボックスを購入し、当該セットトップボックスの出力端子とアナログＴＶの外部入力端子とをケーブルで接続してデジタル放送視聴システムを構築する方法とに大別される。
【０００３】
後者の方法、すなわち、デジタルチューナユニットを有するセットトップボックスを購入し、当該セットトップボックスの出力端子とアナログＴＶの外部入力端子とをケーブルで接続してデジタル放送視聴システムを構築する方法を選択した場合、視聴者の手元にはアナログＴＶに付属しているアナログＴＶ用リモコン送信機と、セットトップボックスに付属しているセットトップボックス用リモコン送信機とが存在することになる。
【０００４】
【特許文献１】特開２００５−２１７５８７号公報
【特許文献２】特開２００４−１４７０６６号公報
【特許文献３】特開２００５−２９５２６３号公報
【発明の開示】
【発明が解決しようとする課題】
【０００５】
このようにリモコン送信機が２つもあると視聴者にとってはややこしいし、邪魔である。また、操作キー数が多いセットトップボックス用リモコン送信機は操作し辛い。このため、通常、視聴者は、使い慣れたアナログＴＶ用リモコン送信機１台だけでデジタル放送視聴システムを遠隔操作したいという要求を有する。この傾向は、特に高齢者にとって顕著である。
【０００６】
また、アナログＴＶが外部入力を選択して、セットトップボックス内のデジタルチューナユニットにて選局されたデジタル放送の番組がアナログＴＶに映し出されている場合でも、アナログＴＶ用リモコン送信機での選局操作に対応した赤外線送信信号をアナログＴＶの受光部が受光すれば、アナログＴＶは外部入力の選択をやめ、アナログＴＶ自身のアナログ放送受信チューナで選局したアナログ放送の番組がアナログＴＶに映し出されてしまう。すなわち、デジタル放送視聴中のアナログＴＶ用リモコン送信機のリモコン操作により不用意にアナログ放送視聴に切り替わってしまうという課題があった。アナログ放送は弱電界地域ではノイズが発生する等の問題があるため、不用意にデジタル放送視聴からアナログ放送視聴に切り替わることは好ましくない。
【０００７】
なお、特許文献１に開示されている放送受信機選択システムや特許文献２に開示されているデジタル放送受信装置は、デジタルチューナユニットを有するセットトップボックスと、デジタルチューナユニットを内蔵しないアナログＴＶとを備える構成になっていない。したがって、特許文献１に開示されている放送受信機選択システムや特許文献２に開示されているデジタル放送受信装置は、上記課題を解決するものではない。
【０００８】
また、特許文献３に開示されているデジタルチューナ制御装置及び制御方法では、アナログＴＶ用リモコン送信機から送信される赤外線信号をアナログＴＶ側の受光部へ到達させないようにしなければ、上記課題、即ちアナログＴＶ用リモコン送信機から送信される赤外線信号がアナログＴＶ側の受光部にも到達し、アナログＴＶ自身のアナログ放送受信チューナで選局したアナログ放送の番組がアナログＴＶに映し出されてしまうという課題を解決できない。
【０００９】
本発明は、上記の状況に鑑み、アナログＴＶとの組み合わせによりデジタル放送視聴システムを構成し、当該デジタル放送視聴システムにおけるデジタル放送視聴中のアナログＴＶ用リモコン送信機のリモコン操作により不用意にアナログ放送視聴に切り替わらないセットトップボックスを提供することを目的とする。また、本発明は、当該セットトップボックスとアナログＴＶとを備えるデジタル放送視聴システム及び当該デジタル放送視聴システムの制御方法を提供することを目的とする。
【課題を解決するための手段】
【００１０】
上記目的を達成するために本発明に係るセットトップボックスは、アナログＴＶとの組み合わせによりデジタル放送視聴システムを構成するセットトップボックスであって、デジタル放送を受信するためのデジタルチューナユニットと、前記デジタルチューナユニットの出力信号に基づく信号を外部出力するための出力端子と、前記アナログＴＶの受光部がアナログＴＶ用リモコン送信機からの送信信号を直接受信することがないように前記アナログＴＶの受光部を覆い隠すための遮蔽部とを備えるようにする。
【００１１】
このようにすると、遮蔽部がアナログＴＶの受光部を覆い隠し、アナログＴＶの受光部がアナログＴＶ用リモコン送信機からの送信信号を直接受信することがないようにすることができるので、デジタル放送視聴システムにおけるデジタル放送視聴中のアナログＴＶ用リモコン送信機のリモコン操作により不用意にアナログ放送視聴に切り替わらないようにすることができる。なお、本発明に係るセットトップボックスにおいては、遮蔽部がセットトップボックス本体部分とは別体にて構成されていても構わない。
【００１２】
また、上記セットトップボックスにおいて、前記アナログＴＶ用リモコン送信機からの送信信号を受信するリモコン受光部を備えることが望ましい。
【００１３】
また、前記アナログＴＶ用リモコン送信機からの送信信号を受信するリモコン受光部を備える上記セットトップボックスにおいて、前記リモコン受光部の出力信号を復調してリモコンコードデータを得る復調部と、前記復調部によって得られたリモコンコードデータに基づいて、前記アナログＴＶ用リモコン送信機からの送信信号が前記アナログＴＶ用リモコン送信機の所定の操作キー（例えば音量調整キーなど）が押圧されたときのものであるか否かを判別する判別部と、前記判別部により、前記アナログＴＶ用リモコン送信機からの送信信号が前記アナログＴＶ用リモコン送信機の所定の操作キーが押圧されたときのものであると判別された場合、前記アナログＴＶ用リモコン送信機からの送信信号を復元して前記アナログＴＶの受光部が直接受信可能なように転送する転送部とを備えるようにすることが望ましい。
【００１４】
このようにすると、アナログＴＶに対して所定の遠隔操作を問題なく行うことができる。なお、本発明に係るセットトップボックスにおいては、転送部がセットトップボックス本体部分とは別体にて構成されていてもよく、転送部が遮蔽部を兼ねていてもよい。さらに、不用意にアナログ放送視聴に切り替わらないようにするために、前記所定の操作キーには入力切替キー及びチャンネル切替キーが含まれていないようにすることが望ましい。
【００１５】
また、前記アナログＴＶ用リモコン送信機からの送信信号を受信するリモコン受光部を備える上記各セットトップボックスにおいて、前記リモコン受光部の出力信号を復調してリモコンコードデータを得る復調部と、前記復調部によって得られたリモコンコードデータに基づいて、前記アナログＴＶ用リモコン送信機からの送信信号が前記アナログＴＶ用リモコン送信機のチャンネル切替キーが押圧されたときのものであるか否かを判定する判定部と、前記判定部により、前記アナログＴＶ用リモコン送信機からの送信信号が前記アナログＴＶ用リモコン送信機のチャンネル切替キーが押圧されたときのものであると判定された場合、前記復調部によって得られたリモコンコードデータをセットトップボックス用チャンネル切替リモコンコードデータに変換し、前記セットトップボックス用チャンネル切替リモコンコードデータに応じて前記デジタルチューナユニットを制御するリモコンコード変換・制御部とを備えるようにすることが望ましい。
【００１６】
このようにすると、アナログＴＶ用リモコン送信機を用いてデジタル放送の選局操作を行うことができる。
【００１７】
また、上記目的を達成するために本発明に係るデジタル放送視聴システムは、上記各セットトップボックスと、前記セットトップボックスの出力端子から出力される信号を外部入力するアナログＴＶとを備える構成とする。
【００１８】
また、上記目的を達成するために本発明に係るデジタル放送視聴システムの制御方法は、アナログＴＶと、デジタル放送を受信するためのデジタルチューナユニットを有するセットトップボックスとの組み合わせにより構成されるデジタル放送視聴システムの制御方法であって、前記アナログＴＶの受光部がアナログＴＶ用リモコン送信機からの送信信号を直接受信しないようにしている。
【００１９】
また、上記デジタル放送視聴システムの制御方法において、前記セットトップボックスが、前記アナログＴＶ用リモコン送信機からの送信信号を受信し、その受信した信号を復調してリモコンコードデータを得、その得られたリモコンコードデータに基づいて、前記アナログＴＶ用リモコン送信機からの送信信号が前記アナログＴＶ用リモコン送信機の所定の操作キーが押圧されたときのものであるか否かを判別し、前記アナログＴＶ用リモコン送信機からの送信信号が前記アナログＴＶ用リモコン送信機の所定の操作キーが押圧されたときのものであると判別した場合、前記アナログＴＶ用リモコン送信機からの送信信号を復元して前記アナログＴＶの受光部が直接受信可能なように転送することが望ましい。さらに、不用意にアナログ放送視聴に切り替わらないようにするために、前記所定の操作キーには入力切替キー及びチャンネル切替キーが含まれていないようにすることが望ましい。
【００２０】
また、上記デジタル放送視聴システムの制御方法において、前記セットトップボックスが、前記アナログＴＶ用リモコン送信機からの送信信号を受信し、その受信した信号を復調してリモコンコードデータを得、その得られたリモコンコードデータに基づいて、前記アナログＴＶ用リモコン送信機からの送信信号が前記アナログＴＶ用リモコン送信機のチャンネル切替キーが押圧されたときのものであるか否かを判定し、前記アナログＴＶ用リモコン送信機からの送信信号が前記アナログＴＶ用リモコン送信機のチャンネル切替キーが押圧されたときのものであると判定した場合、前記リモコンコードデータをセットトップボックス用チャンネル切替リモコンコードデータに変換し、前記セットトップボックス用チャンネル切替リモコンコードデータに応じて前記デジタルチューナユニットを制御することが望ましい。
【発明の効果】
【００２１】
本発明によると、アナログＴＶとの組み合わせによりデジタル放送視聴システムを構成し、当該デジタル放送視聴システムにおけるデジタル放送視聴中のアナログＴＶ用リモコン送信機のリモコン操作により不用意にアナログ放送視聴に切り替わらないセットトップボックスを実現することができる。また、当該セットトップボックスとアナログＴＶとを備えるデジタル放送視聴システム及び当該デジタル放送視聴システムの制御方法も実現することができる。
【発明を実施するための最良の形態】
【００２２】
本発明の実施形態について図面を参照して以下に説明する。図１は、本発明に係るデジタル放送視聴システムの一構成例を示すブロック図である。図１に示す本発明に係るデジタル放送視聴システムは、アナログＴＶ１と、本発明に係るセットトップボックスとによって構成されている。そして、本発明に係るセットトップボックスは、セットトップボックス本体２（以下、ＳＴＢ本体２という。）と、リモコン転送部３とによって構成されている。
【００２３】
アナログＴＶ１に付属しているアナログＴＶ用リモコン送信機２０は、視聴者がアナログＴＶ１を遠隔操作するためのものであって、一般に、電源ＯＮ／ＯＦＦ切替キー、入力切替キー、チャンネル切替キー（チャンネルアップキー、チャンネルダウンキー、ダイレクト選局用数字キー）、音量調整キー（音量アップキー、音量ダウンキー）等の複数の操作キーを有し、任意の操作キーが押圧されると、その押圧されたキーの機能に割り当てられたリモコンコードデータを変調した上で赤外線信号に変換して発光部２０Ｐから送信する。
【００２４】
本発明に係るセットトップボックスに付属しているＳＴＢ用リモコン送信機（不図示）は、視聴者が本発明に係るセットトップボックスを遠隔操作するためのものであって、一般に、電源ＯＮ／ＯＦＦ切替キー、チャンネル切替キー以外に、デジタル放送特有の番組表・番組情報に対応する番組表・番組情報キーなどの操作キーも有しているため、アナログＴＶ用リモコン送信機よりも操作キーの数が多い。
【００２５】
ＳＴＢ本体２は、その基本構成として、アンテナ入力端子４と、地上波デジタルチューナユニット５と、復調部６と、ＭＰＥＧデコーダ７と、オーディオ信号出力端子８と、ビデオ信号出力端子９と、受光部１０と、リモコンコード復調部１１と、データスルースイッチ１２と、リモコンコード変換・制御部１３と、各メーカーリモコンコードテーブルデータ記憶部１４と、メーカー・機種・機能判別部１５と、端子１６とを備えている。
【００２６】
リモコン転送部３は、その基本構成として、端子１７と、リモコンコード変調部１８と、発光部１９とを備えている。リモコン転送部３は、発光部１９とアナログＴＶ１ の受光部１Ｐが正対配置し、さらに、アナログＴＶ用リモコン送信機２０から送信される赤外線信号をアナログＴＶ１の受光部１Ｐが直接受信することがないようにするために、アナログＴＶ１の受光部１Ｐを覆い隠すように配置されている。
【００２７】
以下、ＳＴＢ本体２とリモコン転送部３とによって構成されている本発明に係るセットトップボックスの動作について、図１に示すブロック図および図２に示す本発明に係るセットトップボックスの制御フローチャートを参照して説明する。
【００２８】
アンテナ入力端子４は、アンテナ（不図示）が受信した放送信号を入力する。地上波デジタルチューナユニット５は、アンテナ入力端子４が入力した放送信号の中から受信する放送を選局してダウンコンバートして復調部６に出力する。地上波デジタルチューナユニット５から出力された信号は、復調部６で復調され、ＭＰＥＧデコーダ７でオーディオ信号およびビデオ信号にデコードされ、オーディオ信号はオーディオ信号出力端子８から出力され、ビデオ信号はビデオ信号出力端子９から出力される。また、オーディオ信号出力端子８はケーブルを介してアナログＴＶ１のオーディオ信号外部入力端子１Ａに接続され、ビデオ信号出力端子９はケーブルを介してアナログＴＶ１のビデオ信号外部入力端子１Ｖに接続される。これにより、アナログＴＶ１が外部入力を選択していてアナログＴＶ１に本発明に係るセットトップボックスのみが外部接続されていれば、アナログＴＶ１はＳＴＢ本体２から出力されるビデオ信号に基づく表示およびＳＴＢ本体２から出力されるオーディオ信号に基づく音声出力を行う。
【００２９】
赤外線リモコン送信機から赤外線データ通信で送信され受光部１０で受信された赤外線信号は、受光部１０で電気信号に変換され、リモコンコード復調部１１でリモコンコードデータに復調された後、メーカー・機種・機能判別部１５およびデータスルースイッチ１２に送られる。
【００３０】
メーカー・機種・機能判別部１５は、各メーカーリモコンコードテーブルデータ記憶部１４が予め記憶している各メーカーリモコンコードテーブルデータを参照し、リモコンコード復調部１１から送られてきたリモコンコードデータに対応するメーカー名・機種名・機能名を特定し、その特定結果をリモコンコード変換・制御部１３およびデータスルースイッチ１２に送る。なお、各メーカーリモコンコードテーブルデータは、過去販売されたアナログＴＶのリモコンコードデータおよび本発明に係るセットトップボックスのリモコンコードデータをテーブル形式に持ったデータである（図２参照）。
【００３１】
特定結果の機種名がセットトップボックスであれば（図２のステップ＃１０の『ＳＴＢ』）、メーカー・機種・機能判別部１５の特定結果に応じてデータスルースイッチ１２が接点ｂのみを選択するので、リモコンコード復調部１１から送出されるリモコンコードデータがリモコンコード変換・制御部１３に送られ、リモコンコード変換・制御部１３がリモコンコードデータを変換せずに、リモコンコードデータに割り当てられた機能を実現するように、地上波デジタルチューナユニット５その他のＳＴＢ本体２の各部分を制御する（図２のステップ＃２０）。これにより、本発明に係るセットトップボックスに付属しているＳＴＢ用リモコン送信機が用いられた場合でも、何ら問題なく本発明に係るセットトップボックスが遠隔操作される。
【００３２】
特定結果の機種名がセットトップボックスでもアナログＴＶでもなければ（図２のステップ＃１０の『その他』）、メーカー・機種・機能判別部１５の特定結果に応じてデータスルースイッチ１２が接点ａも接点ｂも選択しない。これにより、過去販売されたアナログＴＶに付属しているアナログＴＶ用リモコン送信機および本発明に係るセットトップボックスに付属しているＳＴＢ用リモコン送信機以外の赤外線リモコン送信機から送信された赤外線信号を無視するので、誤動作を防止することができる。
【００３３】
特定結果の機種名がアナログＴＶであり（図２のステップ＃１０の『アナログＴＶ』）且つ特定結果の機能名が電源ＯＮ／ＯＦＦ切替、入力切替、およびチャンネル切替のいずれにも該当しなければ（図２のステップ＃３０の『ＮＯ』）、メーカー・機種・機能判別部１５の特定結果に応じてデータスルースイッチ１２が接点ａのみを選択するので、リモコンコード復調部１１から送出されるリモコンコードデータがＳＴＢ本体２をスルーして端子１６からリモコン転送部３へ送られる。ＳＴＢ本体２の端子１６から出力されるリモコンコードデータは、ケーブルを介してリモコン転送部３の端子１７に入力され、リモコン転送部３のリモコンコード変調部１８で変調された後、リモコン転送部３の発光部１９で赤外線信号に変換され、アナログＴＶ１の受光部１Ｐに向けて送信される（図２のステップ＃４０）。これにより、例えば、アナログＴＶ用リモコン送信機２０の音量調整キーが視聴者によって押圧され、それに応じてアナログＴＶ用リモコン送信機２０が送信した赤外線信号をＳＴＢ本体２の受光部１０が受信すると、アナログＴＶ１の音声出力の音量が問題なく変更する。
【００３４】
特定結果の機種名がアナログＴＶであり（図２のステップ＃１０の『アナログＴＶ』）且つ特定結果の機能名が電源ＯＮ／ＯＦＦ切替、入力切替、およびチャンネル切替のいずれかに該当すれば（図２のステップ＃３０の『ＹＥＳ』）、各機能に応じた制御を実行する（ステップ＃５０）。
【００３５】
特定結果の機種名がアナログＴＶであり且つ特定結果の機能名が電源ＯＮ／ＯＦＦ切替であれば、メーカー・機種・機能判別部１５の特定結果に応じてデータスルースイッチ１２が接点ａと接点ｂの両方を選択するので、リモコンコード復調部１１から送出されるリモコンコードデータがＳＴＢ本体２をスルーして端子１６からリモコン転送部３へ送られるとともに、リモコンコード変換・制御部１３にも送られる。ＳＴＢ本体２の端子１６から出力されるリモコンコードデータは、ケーブルを介してリモコン転送部３の端子１７に入力され、リモコン転送部３のリモコンコード変調部１８で変調された後、リモコン転送部３の発光部１９で赤外線信号に変換され、アナログＴＶ１の受光部１Ｐに向けて送信される。これにより、アナログＴＶ１の電源ＯＮ／ＯＦＦが切り替わる。リモコンコード変換・制御部１３は、リモコンコード復調部１１から送出されてきたリモコンコードデータをＳＴＢ用の電源ＯＮ／ＯＦＦ切替機能に対応するリモコンコードデータに変換し、その変換したリモコンコードに応じてＳＴＢ本体２の各部分を制御する。これにより、ＳＴＢ本体２の電源ＯＮ／ＯＦＦが切り替わる。
【００３６】
特定結果の機種名がアナログＴＶであり且つ特定結果の機能名が入力切替であれば、メーカー・機種・機能判別部１５の特定結果に応じてデータスルースイッチ１２が接点ａも接点ｂも選択しない。これにより、アナログＴＶ１が外部入力を選択していてアナログＴＶ１に本発明に係るセットトップボックスのみが外部接続されている状態で、アナログＴＶ用リモコン送信機２０の入力切替キーが押圧されても、アナログ放送視聴に切り替わることなく、アナログＴＶ１はＳＴＢ本体２から出力されるビデオ信号に基づく表示およびＳＴＢ本体２から出力されるオーディオ信号に基づく音声出力の実行を維持し続ける。
【００３７】
特定結果の機種名がアナログＴＶであり且つ特定結果の機能名がチャンネル切替であれば、メーカー・機種・機能判別部１５の特定結果に応じてデータスルースイッチ１２が接点ｂのみを選択するので、リモコンコード復調部１１から送出されるリモコンコードデータがリモコンコード変換・制御部１３に送られる。リモコンコード変換・制御部１３は、リモコンコード復調部１１から送出されてきたリモコンコードデータをＳＴＢ用のチャンネル切替機能に対応するリモコンコードデータに変換し、その変換したリモコンコードに応じて地上波デジタルチューナユニット５その他のＳＴＢ本体２の各部分を制御する。これにより、アナログＴＶ１が外部入力を選択していてアナログＴＶ１に本発明に係るセットトップボックスのみが外部接続されている状態で、アナログＴＶ用リモコン送信機２０のチャンネル切替キーが押圧されても、アナログ放送視聴に切り替わることなく、アナログＴＶ１はＳＴＢ本体２から出力されるビデオ信号に基づく表示およびＳＴＢ本体２から出力されるオーディオ信号に基づく音声出力の実行を維持し続け、さらに視聴しているデジタル放送のチャンネルを変更することができる。
【００３８】
本発明に係るセットトップボックスは、上述した通りの動作を行うので、アナログＴＶ用リモコン送信機２０の任意の操作キーが視聴者によって押圧され、それに応じてアナログＴＶ用リモコン送信機２０が送信した赤外線信号をＳＴＢ本体２の受光部１０が受信した場合、アナログＴＶ１および本発明に係るセットトップボックスでのキー機能は図３に示すようになる。
【図面の簡単な説明】
【００３９】
【図１】は、本発明に係るデジタル放送視聴システムの一構成例を示すブロック図である。
【図２】は、本発明に係るセットトップボックスの制御フローチャートである。
【図３】は、アナログＴＶ用リモコン送信機のキー操作に応じたアナログＴＶおよび本発明に係るセットトップボックスのキー機能を示す図である。
【符号の説明】
【００４０】
１    アナログＴＶ
１Ａ    オーディオ信号外部入力端子
１Ｐ    受光部
１Ｖ    ビデオ信号外部入力端子
２    セットトップボックス本体（ＳＴＢ本体）
３    リモコン転送部
４    アンテナ入力端子
５    地上波デジタルチューナユニット
６    復調部
７    ＭＰＥＧデコーダ
８    オーディオ信号出力端子
９    ビデオ信号出力端子
１０    受光部
１１    リモコンコード復調部
１２    データスルースイッチ
１３    リモコンコード変換・制御部
１４    各メーカーリモコンコードテーブルデータ記憶部
１５    メーカー・機種・機能判別部
１６、１７    端子
１８    リモコンコード変調部
１９    発光部
２０    アナログＴＶ用リモコン送信機
２０Ｐ    発光部
【図１】
2008311771.tif 000003
【図２】
2008311771.tif 000004
【図３】
2008311771.tif 000005